(57)【要約】【課題】  形状及び構造が単純化され動作が安定化され易いリセットレバー装置及びこれを備えた電子時計を提供すること【解決手段】  電子時計１のリセットレバー装置８は、巻真２０が針回し用引出位置Ｐ１に設定された際に回転駆動源４による運針を不能にするリセット位置Ｈ２と巻真２０が通常位置Ｐ０に設定された際に回転駆動源４による運針を可能にする非リセット位置Ｈ１との間でＪ１，Ｊ２方向に回動可能に機枠１０に支持され、巻真２０が通常位置Ｐ０から引出位置Ｐ１に引出される際に、非リセット位置からリセット位置への変位の禁止が解除されるリセットレバー本体６０と、リセットレバー本体とは別体で形成され一端側の基体部５１で機枠に支持され、リセットレバー本体に非リセット位置からリセット位置への偏倚力を及ぼすべく他端側がリセットレバー本体に対し直交する方向に延びたリセットレバー偏倚バネ部材５６とを有する。【選択図】  図１
2006184238.tif 000002
【特許請求の範囲】
【請求項１】
巻真が針回し用引出位置に設定された際に回転駆動源による運針を不能にするリセット位置と前記巻真が通常位置に設定された際に前記回転駆動源による運針を可能にする非リセット位置との間で回動可能に機枠に支持され、前記巻真が前記通常位置から前記引出位置に引出される際に、前記非リセット位置から前記リセット位置への変位の禁止が解除されるリセットレバー本体と、
前記リセットレバー本体とは別体で形成されて一端側で機枠に支持され、該リセットレバー本体に対して前記非リセット位置から前記リセット位置への偏倚力を及ぼすべく前記リセットレバー本体に係合される他端側が前記リセットレバー本体の回動面に対して交差する方向に延びたリセットレバー偏倚バネ部材と
を有するリセットレバー装置。
【請求項２】
前記巻真が針回し用引出位置に設定された際に回転駆動源による運針を不能にするリセット位置と前記巻真が通常位置に設定された際に前記回転駆動源による運針を可能にする非リセット位置との間で時計本体の主面に平行な面内で回動可能に機枠に支持され、前記巻真が前記通常位置から前記引出位置に引出される際に、非リセット位置からリセット位置への変位の禁止が解除されるリセットレバー本体と、
主面が時計本体の主面と実質的に直角になる用に配置され且つ時計本体の主面の延在方向に延びる状態で時計本体の機枠に保持される細長い板状体からなる基体部、及び該基体部の側縁から時計本体の厚さ方向に突出したリセットレバー偏倚バネ部を備え、該バネ部がリセットレバー本体に対して非リセット位置からリセット位置への偏倚力を及ぼすように構成された板状構造体と
を有するリセットレバー装置。
【請求項３】
前記基体部が、時計本体の機枠の溝部に又は突起部間に挟まれて時計本体の機枠により支持されるように構成された請求項２に記載のリセットレバー装置。
【請求項４】
請求項２又は３に記載のリセットレバー装置を備え、巻真の大径のソロバン玉状部に隣接した小径部に弾性的に係合され巻真の出し入れの際にソロバン玉状部によって弾性変形されてソロバン玉状部の通過を許容する巻真位置決め係合部が、前記基体部の側縁から時計本体の厚さ方向に突設されている電子時計。
【請求項５】
請求項２又は３に記載のリセットレバー装置を備え、前記基体部が板バネとして働くように構成され、該基体部の一端で電池を押え、他端で水晶発振器筐体を押えるように構成された電子時計。
【発明の詳細な説明】
【技術分野】
【０００１】
本発明は、リセットレバー装置及び該リセットレバー装置を備えた電子時計に係る。
【背景技術】
【０００２】
巻真が針回し用引出位置に設定された際に回転駆動源による運針を不能にするリセット位置と巻真が通常位置に設定された際に回転駆動源による運針を可能にする非リセット位置との間で回動可能に機枠に支持され、巻真が通常位置から引出位置に引出される際に、非リセット位置からリセット位置への変位の禁止が解除されるリセットレバーは、知られている（例えば、特許文献１、特許文献２）
【０００３】
しかしながら、従来のリセットレバーでは、回動するリセットレバー自体にバネ機能を持たせるようにしていたことから、バネ部を実際上Ｕ字状にする必要があり、該リセットレバーが占有可能なスペースに沿って複雑な形状を有するのみでなく、バネ力が安定し難い虞れもあった。
【特許文献１】特開２００４−９３５３４号公報（例えば図４）
【特許文献２】実公平５−４５９９５号公報（第１図）
【発明の開示】
【発明が解決しようとする課題】
【０００４】
本発明は、前記した点に鑑みなされたものであって、その目的とするところは、形状及び構造が単純化され動作が安定化され易いリセットレバー装置及びこれを備えた電子時計を提供することにある。
【課題を解決するための手段】
【０００５】
本発明のリセットレバー装置は、前記目的を達成すべく、巻真が針回し用引出位置に設定された際に回転駆動源による運針を不能にするリセット位置と巻真が通常位置に設定された際に回転駆動源による運針を可能にする非リセット位置との間で回動可能に機枠に支持され、巻真が通常位置から引出位置に引出される際に、非リセット位置からリセット位置への変位の禁止が解除されるリセットレバー本体と、リセットレバー本体とは別体で形成されて一端側で機枠に支持され、該リセットレバー本体に対して非リセット位置からリセット位置への偏倚力を及ぼすべくリセットレバー本体に係合される他端側がリセットレバー本体の回動面に対して交差する方向に延びたリセットレバー偏倚バネ部材とを有する。
【０００６】
このリセットレバー装置では、リセットレバー本体とリセットレバー偏倚バネ部材とを別体で形成したので、リセットレバー本体自体を実質的に剛性構造体として形成し得、形状が単純化され動作が安定され易いだけでなく、組付けも容易になり、製造コストも最低限に抑え得る。
【０００７】
また、リセットレバー偏倚バネ部材がリセットレバー本体とは別体で形成されて一端側で機枠に支持され、他端側がリセットレバー本体の回動面に対して交差する方向に延びてリセットレバー本体に係合されてリセットレバー本体に対して非リセット位置からリセット位置への偏倚力を及ぼすので、バネ部材の形状が単純化され得、動作が安定され易く、その組付けも容易に行われ易い。なお、交差方向は、典型的な垂直な方向である。
【０００８】
ここで、機枠は、典型的には、時計ケースに対して静置される地板や輪列受等の支持部材をいう。但し、該支持部材に対して、実際上、静置されるものであれば、他のどのような時計部品でもよい。
【０００９】
リセットレバー本体は、典型的には、時計本体の機枠に対して回転自在に支持される軸受部又は軸部と、巻真（典型的には該巻真の先端部の端面又は側面）の押圧力を受ける巻真当接部と、リセット位置に回動された際にリセットピン等に当接されるリセット端子部と、リセットレバー偏倚バネ部材に係合されるバネ受部とを有し、これらの部分が、実際上一体的な剛性構造体として形成される。このリセットレバー本体は、実質的にバネ機能を備える必要がないので、材料及びサイズの自由度が大幅に高められ、板金の平板状打抜き体で形成することが可能になることから製造し易く製造コストも最低限に抑えられ得る。なお、巻真当接部は、巻真の押圧力を受けるのである程度の弾性を持つことになるけれども、リセットレバー本体を回動変位させる偏倚力を与えるバネ弾性は実際上リセットレバー偏倚バネ部材によって確保されるから、リセットレバー偏倚バネ部材よりもはるかに剛性が高く形成され得る。
【００１０】
このリセットレバー装置では、巻真が通常位置すなわち通常運針用の巻真０段目位置にある際には、巻真がリセットレバー偏倚バネ部材の偏倚力に抗してリセットレバー本体を押して該リセットレバー本体を非リセット位置に位置決めする。その結果、リセットレバー本体（典型的にはそのリセット端子部）は、リセットピンから離間状態に保たれる。一方、巻真が通常位置（巻真０段目位置）から引出位置（巻真１段目位置）に引出されると、巻真のリセットレバー本体に対する係止が解除され、リセットレバー本体がリセットレバー偏倚バネ部材の偏倚力により回動されてリセット位置に達して（典型的には、リセットレバー本体のリセット端子がリセットピンに当接して）、回転駆動源による運針を不能にする。この運針不能化処理は、典型的には、回転駆動源であるモータに対する回転駆動信号の供給停止である。
【００１１】
なお、リセットレバー本体は、リセット位置に設定された際に、巻真の回転による針回しの影響が秒針に及ぶのを禁止すべく、二番車（分車）と四番車（秒車）との係合を解除する。そのために、リセットレバー本体は、典型的には、三番車の軸に係合されていて、リセット位置に設定される際に三番車と二番車（分車）又は四番車との噛合を解除すべく三番車の軸の位置をずらす。
【００１２】
本発明のリセットレバー装置は、典型的には、巻真が針回し用引出位置に設定された際に回転駆動源による運針を不能にするリセット位置と巻真が通常位置に設定された際に回転駆動源による運針を可能にする非リセット位置との間で時計本体の主面に平行な面内で回動可能に機枠に支持され、巻真が通常位置から引出位置に引出される際に、非リセット位置からリセット位置への変位の禁止が解除されるリセットレバー本体と、主面が時計本体の主面と実質的に直角になり配置され且つ時計本体の主面の延在方向に延びる状態で時計本体の機枠に保持される細長い板状体からなる基体部、及び該基体部の側縁から時計本体の厚さ方向に突出したリセットレバー偏倚バネ部を備え、該バネ部がリセットレバー本体に対して非リセット位置からリセット位置への偏倚力を及ぼすように構成された板状構造体と
を有する。
【００１３】
この場合、リセットレバー本体に対する偏倚力は、板状構造体のリセットレバー偏倚バネ部によって与えられる。また、この場合、板状構造体が細長い基体部で時計本体の機枠に保持され得るので、板状構造体のバネ部（リセットレバー偏倚バネ部）によってリセットレバー本体に偏倚力を及ぼせばよい。しかも、この板状構造体では、細長い板状体からなる基体部は、その主面が時計本体の主面と実質的に直角になるように配置され且つ時計本体の主面の延在方向に延びているので、時計本体の主面に垂直な方向から見た場合大きな場所を占有する虞れが少ないから、所望の位置に配置され易い。従って、板状構造体として、所望の機能を備えたものに、付加的にバネ部を形成することにより、部品点数を最低限に抑えることも可能になる。
【００１４】
このリセットレバー装置では、板状構造体の基体部は、時計本体の機枠に対して静置される限り機枠によって直接的に支持されても間接的支持されてもよいけれども、典型的には、時計本体の機枠の溝部に又は突起部間に挟まれて時計本体の機枠により支持されるように構成される。突起部は対向して配置されてもジグザグに配置されてもよい。突起部は、ピンのように線接触（時計本体の主面に垂直な方向から見た場合点接触）状態で基体部を支持しても、面接触（時計本体の主面に垂直な方向から見た場合線接触）状態で基体部を支持してもよい。この場合、基体部は、その主面が時計本体の主面に対して実質的に直角になり且つ時計本体の主面の延在方向に延び得るので、ネジやカシメなどで固定しなくても所定の状態に配置・支持され得る。
【００１５】
なお、時計本体の機枠の溝部に又は突起部間に挟まれた状態において板状構造体の基体部が該機枠の溝部の側壁又は突起部によって直接保持されても、時計本体の機枠の溝部に又は突起部間に挟まれた状態では遊嵌状態で端部が電池や水晶缶などに弾性的に押付けられることにより初めて保持されるようになっていてもよい。
【００１６】
本発明のリセットレバー装置を組込んでなる電子時計では、リセットレバー装置の板状構造体が、典型的には、他の機能を併せ持つ。
【００１７】
本発明の電子時計では、典型的には、巻真の大径のソロバン玉状部に隣接した小径部に弾性的に係合され巻真の出し入れの際にソロバン玉状部によって弾性変形されてソロバン玉状部の通過を許容する巻真位置決め係合部が、前記基体部の側縁から時計本体の厚さ方向に突設されている。この場合、リセットレバー装置の板状構造体が、実際上余分の領域を占有することなく、巻真の出し入れに対してクリック感を与え得る。なお、巻真位置決め係合部が巻真に係合することによって、リセットレバー装置のリセットレバー偏倚バネが形成される板状構造体の基体部の保持がより安定に確保され易い。
【００１８】
また、本発明の電子時計では、典型的には、上述のようなリセットレバー装置の基体部が板バネとして働くように構成され、該基体部の一端で電池を押え、他端で水晶発振器筐体（水晶缶）を押えるように構成される。この場合、リセットレバー装置の板状構造体が、実際上余分の領域を占有することなく、重量が比較的大きく安定感に乏しい電池と水晶発振器筐体とを同時に保持し得る。また、電池や水晶発振器筐体の保持により、リセットレバー装置のリセットレバー偏倚バネが形成される板状構造体の基体部の保持がより安定に確保され易い。
【００１９】
なお、本発明の電子時計では、典型的には、上述のようなリセットレバー装置の基体部が金属製の板バネからなる。従って、板状構造体は、電池の電極端子（典型的には、電池プラス端子）であり得る。
【発明を実施するための最良の形態】
【００２０】
次に、本発明の好ましい一実施の形態を添付図面に示した好ましい一実施例に基づいて説明する。
【実施例】
【００２１】
電子時計１の時計本体２は、機枠を構成する地板１０を備える。以下では、説明の簡明化のために、地板１０に固定した三次元直交座標系を採る。ここで、巻真２０の引出し方向Ａ１（３時側）をＸ方向とし、図１において右方向（１２時側）をＹ方向、図面に垂直に図の奥の方向をＺ方向とする。Ｚ方向は、文字板１２（図２参照）のある側に一致する。ここで、ＸＹ平面は、時計本体２の主面と平行であり、Ｚ軸の方向は、時計本体２の主面に対して垂直な方向である。図１及び図２において、Ｃは、時計本体２の輪列機構３につながった時刻表示針１３（即ち、時針１３ａ，分針１３ｂ，秒針１３ｃ）の回転中心軸線である。ここで、時計本体２は、時計１からケースなどの外装部分を除いた部分を指す。
【００２２】
地板１０は、該地板１０の−Ｚ側表面１０ａの夫々の位置に位置決めされるべき各種時計要素の配設・支持に適する凹凸や表面形状を備える。地板１０は、３時側の位置に巻真案内孔１１ａを備えた側壁１１（図２）を有すると共に、−Ｚ側表面１０ａに突設された水晶発振器筐体（水晶缶）受突起部１１ｆ及びフレキシブル回路基板載置用突出部１１ｇ並びに該表面１０ａに形成されたつづみ車受容凹部１１ｈや側壁１１等により周壁の一部が規定された電池収容凹部１１ｂ等を備える。なお、地板１０の表面１０ａのうち中心軸線Ｃからみて時針のほぼ５時の方向には、更に、リセットピン３２が植設されている。リセットピン３２の位置は、後述する回路基板３４等の配置や形状次第では、他の位置でもよい。
【００２３】
地板１０の巻真案内孔１１ａを貫通する巻真２０は、基端側の大径軸部２１に加えて、先端の角柱状係合軸部２２、中間の円柱状中径軸部２３、軸部２２，２３間の円柱状小径軸部２４、Ａ１，Ａ２方向の両側が小径軸部２５，２６で規定されたそろばん玉状部２７を備え、つづみ車２８に嵌合されている。基端側の中径穴部及び先端側の角筒状穴部を備えたつづみ車２８は、地板１０のつづみ車受容凹部１１ｈ内に位置し、軸部２２，２４，２３の間において巻真２０に嵌合されている。巻真２０がＡ２方向に押込まれた０段位置（通常位置）にある場合には、つづみ車２８の中径穴部及び角筒状穴部が夫々巻真２０の中径軸部２３及び小径軸部２４に回転自在に嵌合される。一方、巻真２０がＡ１方向に一段引出された一段目位置（引出位置）にある場合には、つづみ車２８の角筒状穴部が巻真２０の先端の角柱状係合軸部２２に係合されて、巻真２０のＢ方向の回転に応じてつづみ車２８が回転される。つづみ車２８は先端の歯車部２８ａで八番歯車１５ｆに噛合されている。
【００２４】
輪列機構３は、図１及び図２からわかるように、地板１０と該地板１０に対して−Ｚ方向に間隔をおいて位置する輪列受１４の部分との間に位置する表側輪列１５と地板１０の＋Ｚ側に位置する裏側輪列１６とを含む。輪列受１４は、地板１０と同様に機枠の一部とみなし得る。表側輪列１５は、六番車１５ａ、五番車１５ｂ、四番車（秒車）１５ｃ、三番車１５ｄ、二番車（分車）１５ｅ、及び八番歯車１５ｆを含み、裏側輪列１６は、筒車（時車）１６ａ及び八番かな１６ｂを含む。八番車（日の裏車）１７の軸ないし胴は、地板１０をＺ方向に貫通して延び、表輪列１５の側に八番歯車１５ｆが設けられ、裏側輪列１６の側に八番かな１６ｂが設けられている。三番車１５ｄの軸のうち地板１０に近接した側の軸部は、後述するリセットレバー６０の軸受孔６６ａに嵌合される。
【００２５】
図１において、地板１０の表面１０ａのうち巻真２０とは反対側すなわち９時側の位置には、Ｙ方向に細長いモータ４が配置されている。図１において、巻真２０及びモータ４の右側においては、周壁の一部が規定された電池収容凹部１１ｂに、ボタン型電池５が配置される。また、図１において、巻真２０及びモータ４の左側には、時計用ＩＣ（集積回路）３３が実装されたフレキシブル回路基板３４及び水晶発振器３０を含む回路ブロック６が配置されている。基板３４には、所望に応じて、ＩＣ３３以外の回路部品も実装される。
【００２６】
モータ４は、ステータ４ａ及びコイルブロック４ｂ並びにロータ４ｃを含み、ロータ４ｃの軸には、六番車１５ａを構成するロータかなが形成されている。モータ４のコイルブロック４ｂは、巻線の延設部４ｄでフレキシブル回路基板３４に電気的に接続されている。
【００２７】
３６ａ，３６ｂは、ステータ４ａとコイルブロック４ｂとを機械的に一体的に結合する連結部である。連結部３６ａのところでは回路基板３４がモータ４に固定され、連結部３６ｂのところでは電池マイナス端子７がモータ４に固定されている。連結部３６ａ，３６ｂは中央に開口を備え、該開口に地板１０から突設された突起が嵌合され熱カシメされて、モータ４や回路基板３４等の全体が地板１０に固定されている。電池マイナス端子７は、地板１０の表面１０ａに沿って、電池５の＋Ｚ側に延び、地板１０の表面１０ａ上に載置される電池５の端面の負極５ａ（図３）に接触する。電池マイナス端子７は、モータ４（例えば、ステータ部材４ａやコイルブロック４ｂの巻線に対して絶縁された巻芯等）を介して回路基板３４に電気的に接続され、回路基板３４に電池５のマイナス電位を与える。すなわち、モータ４の部品の導電性部分自体が、電池マイナス端子７と協働して、電源のマイナス側の給電線になっている。
【００２８】
モータ４のロータ４ｃの軸部の−Ｚ側端部は輪列受１４に回転自在に支持されている。モータ４の大径のコイルブロック４ｂは、−Ｚ方向に突出し、輪列受１４の対応する切欠ないし開口（図示せず）内に遊嵌されても、輪列受１４で押えられてもよい。同様に、−Ｚ方向に高さの高い電池５も、輪列受１４の対応する電池着脱用開口（図示せず）内に遊嵌される。電池５の寿命の範囲内での使用を前提とする場合、電池５を輪列受１４で押さえつけるようにしてもよい。
【００２９】
回路ブロック６のフレキシブル回路基板３４の＋Ｚ側表面のうち時計本体２の中心側側縁には、リセットピン接続用導電パッド部３５ａが形成され、フレキシブル回路基板３４が、図示の例では該基板３４と実際上同一の平面形状の地板突出部１１ｇ上に載置された際、導電パッド部３５ａがリセットピン３２の−Ｚ側端面（頂面）に丁度当接する。なお、突出部１１ｇは、フレキシブル回路基板３４を所望の安定性で支え得る限り、当然ながら、その形状は、フレキシブル回路基板３４とは異なっていてもよい。なお、輪列受１４を取付けた状態では、輪列受１４が回路基板３４の導電パッド部３５ａをリセットピン３２の頂面に押付ける。但し、リセットピン３２と回路基板３４との電気的接続は、異なる形態で実現されてもよい。
【００３０】
回路ブロック６には、更に、導電パターン３５ｂ，３５ｃ，３５ｄが形成され、導電パターン３５ｄには接続端子片部３５ｅが取付けられている。導電パターン３５ｄは、時計用ＩＣ３３の電源電圧（電位）Ｖｄｄの給電用端子に接続され、導電パターン３５ｂ，３５ｃは、水晶発振器３０の端子に接続されている。導電パターン３５ｂ，３５ｃには、水晶発振器３０の一対の接続ピンないし接続端子部３０ａ，３０ｂが、半田付により、電気接続され固定されている。基端で導電パターン３５ｄに電気接続された接続端子片部３５ｅは、地板１０の表面１０ａに沿って延び、該地板１０の表面１０ａ上に載置された水晶発振器３０の筐体としての導電性の缶すなわち水晶缶３１の基端部３１ａの周面の＋Ｚ側部分に接触する。
【００３１】
輪列受１４には係合部としての溝１８（図２）が形成され、該溝１８には、板状構造体としての金属製の板バネ構造体５０が係止されている。板バネ構造体５０の主面ないし表面は、図１及び図２に加えて図３及び図４に示したように、ＸＹ平面に対して直角である。すなわち、板バネ構造体５０の各部の主面に対する法線は、主面の向きにかかわらず、ＸＹ平面と平行な面内に位置する。
【００３２】
板バネ構造体５０は、図１、図３及び図４からわかるように、時計本体２に沿って、概ねＹ方向に延在した本体部５１を有する。板バネ本体部５１は、Ｙ方向に延びた基体部としての中央部５２と、中央部５２の＋Ｙ方向端部から該中央部５２に対して鈍角で斜め方向に−Ｘ側に延び先端が電池５のプラス電極５ｂの一部を構成する周面に弾性的に圧接される電池プラス電極接点端子部５３と、中央部５２の−Ｙ方向端部から該中央部５２に対して鈍角で斜め方向に−Ｘ側に延び先端が水晶発振器筐体としての水晶缶３１の先端部３１ｂの側縁３１ｃに弾性的に圧接される水晶缶接点端子部５４とを備える。板バネ構造体５０は、例えば、厚さが０．１５〜０．２ｍｍ程度のステンレス合金板からなる。勿論、厚さや材料は異なっていてもよい。
【００３３】
電池プラス電極接点端子部５３は、中央部５２の＋Ｙ方向端部から該中央部５２に対して鈍角で斜め方向に−Ｘ側に延びた傾斜腕部５３ａと、該傾斜腕部５３ａの先端から更に鈍角で斜めに−Ｘ側に延びた電池プラス電極接点部５３ｂとを含み、電池プラス電極接点部５３ｂの先端部で電池プラス電極５ｂに圧接される。接点部５３ｂの中央部５２に対する折曲角は、全体として、９０度よりも小さい。この例では、中央部５２は、＋Ｙ方向端部の近傍においてＺ方向に幅広になっており、電池プラス電極接点端子部５３は、−Ｚ側の側縁５３ｃが部分的に切欠かれている。なお、電池プラス電極接点端子部５３の先端の接点部５３ｂは、−Ｚ方向に立上り該立上り端部から更に前方に真直ぐ延びた先端部５３ｄを備えることにより（図３）、電池プラス電極５ｂに対して広い接触領域を確保している。
【００３４】
水晶缶接点端子部５４は、細い腕部５４ａと該腕部５４ａの先端部にＺ方向に幅広に形成された水晶缶接点部５４ｂとを備え、該接点部５４ｂで水晶缶３１の先端部３１ｂの側縁３１ｃに圧接される。
【００３５】
従って、板バネ構造体５０は、電池プラス電極接点端子部５３で電池５のプラス電極５ｂに接触し、水晶缶接点端子部５４で水晶缶３１に接触することにより、接続端子片部３５ｅ及び給電線としての導電パターン３５ｄを介して、ＩＣ３３の電源端子に、電池５のプラス電極５ｂの電圧（電位）を直接与える電池プラス端子として機能する。
【００３６】
なお、以上のような構造・形状を有する板バネ構造体５０は、中央部５２に対して、全体として９０度以下で且つ一方向の折曲げによって形成されるので、その折曲金型の形成及び折曲動作が最低限のコスト及び時間で行われ得る。
【００３７】
図３に示したように、板バネ構造体５０は、中央部５２の中心領域５２ａで輪列受１４の係合部１８の突起部１８ａの溝１８ｂに嵌込まれると共に、中央部５２の−Ｚ側の側縁に形成された突出部５２ｂで輪列受１４の開口部１８ｃに嵌め込まれる。
【００３８】
板バネ構造体５０の中央部５２は、溝部１８ｂの代わりに、例えば一対の突起部（例えばピン状物）の間で支えられてもよい。なお、溝部や突起部は、輪列受１４に形成される代わりに、地板１０に形成されていても、輪列受１４と地板１０との両方に形成されていてもよい。
【００３９】
板バネ構造体５０は、更に、＋Ｚ側の側縁部から突出したリセットレバー偏倚バネ部５６と、巻真係合バネ部５７とを有する。巻真係合バネ部５７は、本体部５１から＋Ｚ方向に延びた基部側腕部５７ａと、該基部側腕部５７ａの延在端から＋Ｙ方向に延びた先端側腕部５７ｂと、該腕部５７ｂの先端から延設された円弧状係合部５７ｃとを含み、該円弧状係合部５７ｃで巻真２０のソロバン玉状部２７の近傍の小径部２５又は２６に弾性的に係合される。
【００４０】
この板バネ構造体５０は、全体としてＹ方向に延び、Ｚ方向に幅を備えた板バネからなるので、Ｘ−Ｙ平面内で占有する面積が最低限に抑えられ得る。また、溝部１８ｂ等に挿設するだけで保持され得、ネジ止めやカシメ等の固定構造を要しないので、該保持に要するスペースも最低限に抑えられ得る。
【００４１】
板バネ構造体５０は、図１及び図３からわかるように、中央部５２で輪列受１４の係合部１８に係合されて該輪列受１４によって支持され、＋Ｙ方向端部に位置する電池プラス電極接点端子部５３が電池５の正極５ｂの周面にＤ方向に弾性的に圧接され、−Ｙ方向端部に位置する水晶缶接点端子部５４が、地板１０の水晶発振器筐体受突起部１１ｆで支持された水晶缶３１（所望ならば更に水晶缶３１の基端側端面や基端部の側縁を支持するようにしてもよい）の先端部３１ｂの側縁３１ｃにＥ方向に弾性的に圧接される。従って、板バネ構造体５０は、輪列受１４の係合部１８を支点として、電池５及び水晶発振器３０を弾性的に押え付け得るから、サイズが他の部品と比較して大きく載置安定性が悪くなり易い電池５及び水晶発振器３０の両方を同時に安定に位置決め固定し得る。また、板バネ構造体５０は、一端で電池５に大きな接触圧で接触すると共に他端で水晶発振器３０の水晶缶３１に大きな接触圧で接触しているので、電池５のプラス電位を水晶缶３１に確実に伝え得る。しかも、水晶缶３１は、接点端子片部３５ｅ及び導電パターン３５ｄを介して回路ブロック６のＩＣ３３の電源電圧給電端子に接続されているので、水晶発振器３０の筐体すなわち水晶缶３１を電源電圧の供給に直接利用し得る。水晶発振器筐体部ないし水晶缶３１は電子時計１の本体部２の中で大きな体積ないし面積を占めるので、電池プラス端子の長さを最低限に抑え得る。
【００４２】
バネ構造体５０は、また、巻真係合バネ部５７の円弧状係合部５７ｃにおいて、巻真２０のソロバン玉状部２７の両側の小径部２５，２６に係合され、巻真２０に対してＦ１方向の弾性力を及ぼしているので、小径部２５や２６で該バネ部５７に弾性的に係合された巻真２０をＡ１，Ａ２方向に位置ずれすることなく安定に、弾性的に保持し巻真２０を位置決めし得る。また、バネ部５７と小径部２５や２６との係合が弾性的な係合であるので、例えば、巻真２０が０段位置にありバネ部５７の円弧状係合部５７ｃが巻真２０の小径部２５に係合されている際に該巻真２０をＡ１方向に引出す場合、小径部２５よりも大径のソロバン玉状部２７によってバネ部５７の円弧状係合部５７ｃをＦ２方向に押し下げるように弾性変形させて該ソロバン玉状部２７をＡ１方向に移動させることになる。ソロバン玉状部２７がバネ部５７をＡ１方向に通過すると、バネ部５７の円弧状係合部５７ｃが弾性復元力により再度Ｆ１方向に変形されて小径部２６に嵌り込む。これにより、巻真２０のＡ１方向の引出しに際して、バネ構造体５０のバネ部５７がソロバン玉状部２７と協働してクリック感を与え得る。巻真２０を巻真１段目から巻真０段目にＡ２方向に押込む際にも、バネ部５７の係合部５７ｃが、小径部２６からソロバン玉状部２７の最大径部の通過を許容するように変形された後で小径部２５に嵌り込むことになるので、同様なクリック感が得られる。
【００４３】
なお、以上のようなバネ部５７の支持に際して、バネ構造体５０は、輪列受１４の係合部１８によって保持されているだけでなく、電池５及び水晶缶３１を両端部５３，５４で弾性的に押える反作用として電池５及び水晶缶３１により両端バネ部５３，５４を介して支えられることになるから、安定に保持された状態で、巻真２０の支持が安定化され得る。なお、巻真係合バネ部５７の腕部５７ａ，５７ｂがＹ方向に大きく変形されるのを避けるべく、間隙を介して腕部５７ａ，５７ｂを挟むように腕部腕部５７ａ，５７ｂの＋Ｙ側及び−Ｙ側に規制壁部を形成しておいてもよい。該規制壁部は、係合部１８等の一部であってもよい。
【００４４】
また、所望ならば、地板１０の表面１０ａに−Ｚ方向に突出する突起部を形成しておいて、バネ構造体５０の中央部５２の＋Ｚ側の側縁部５２ｄ（図３）を、該突起部で支えるようにしておいてもよい。その場合、中央部５２の＋Ｚ方向への変位を確実に禁止し得るので、バネ部５７が確実にクリック感を付与し得る。
【００４５】
電子時計１は、更に、リセットレバー本体部としてのリセットレバー６０を備える。リセットレバー６０は、この例では、全体としてタツノオトシゴのような形状の板金打抜き体からなる板状部６０ａと、該板状部６０ａを地板１０に対して中央部の回転中心軸線Ｃ１のまわりで回転可能に支える軸部６０ｂとを備える。軸部６０ｂが地板１０の軸受穴に回転自在に支持されていても、軸部６０ｂに対して、板状部６０ａが回転自在であってもよい。軸部６０ｂは、更に地板１０で支えられていても、地板１０の代わりに、輪列受１４で支えられていてもよい。リセットレバー６０の板状部６０ａは、例えば、厚さ０．１５〜０．２ｍｍ程度のステンレス合金板からなる。勿論、厚さや材料は異なっていてもよい。
【００４６】
リセットレバー板状部６０ａは、回転中心軸線Ｃ１を含む領域に拡がった中心ボス部ないし肥大部６１から巻真２０の先端のところまで延びたＬ字状腕部６２と、ボス部６１からＸ方向に突出しバネ部５６に係合するバネ受部ないし係合突起部６３と、ボス部６１からほぼ−Ｘ方向に延びた上下方向腕部６４と、該上下方向腕部６４のうち電池５を避けつつやや斜めに延びた延在端からほぼ−Ｙ方向に延びた横方向腕部６５と、該腕部６５の先端に形成された三番車軸受用肥大部ないしボス部６６と、該ボス部６６からリセットピン３２のところまで斜めに延びたリセット端子部６７とを有する。以上において、ボス部６１並びにＬ字状腕部６２及び係合突起部６３が入力側レバー部６８を構成し、腕部６４，６５，６７及びボス部６６が出力側レバー部６９を構成する。また、以上において、リセットレバー装置８は、リセットレバー６０と、板バネ構造体５０のバネ部５６とからなる。なお、リセットレバー装置８が、リセットレバー６０と、基体部としての中央部５２及びバネ部５６を備えた板状構造体としての板バネ構造体５０とからなるとみなしてもよい。
【００４７】
巻真２０がＡ２方向に押込まれた巻真０段目Ｐ０にある場合、リセットレバー６０のＬ字状腕部６２の先端側の位置検出腕部６２ａの側縁６２ｂが巻真２０の先端面２９よりＡ２方向に押される。Ｌ字状腕部６２は、巻真２０に過大なＡ１方向反力が働くのを避けるべく、典型的には多少撓み得るけれども、板バネ構造体５０のリセットレバー偏倚バネ部５６よりもはるかに高い剛性を有し、バネ部５６と比較する限り、実質的に剛体とみなしてもよい。
【００４８】
巻真２０がＡ２方向に押込まれた巻真０段目Ｐ０にある場合、リセットレバー６０のバネ受部ないし係合突起部６３が板バネ構造体５０のリセットレバー偏倚バネ部５６の先端部５６ａの＋Ｙ側の側縁５６ｂに対して−Ｙ方向に押付けられ、リセットレバー偏倚バネ部５６の先端部５６ａをＧ１方向にずらすように偏倚バネ部５６を弾性変形させる（図３の実線）。
【００４９】
従って、巻真２０が巻真０段目にある場合、図５に示したように、リセットレバー６０は、非リセット位置Ｈ１を採る。即ち、巻真２０が巻真０段目にある場合、入力側レバー部６８が、巻真２０の先端面２９によるＡ２方向の押圧力の作用下でＪ１方向に回動変位され、板バネ構造体５０のバネ部５６をＧ１方向に押す。リセットレバー６０の出力側レバー部６９もＪ１方向に回動変位され、リセット端子部６７は、その先端の側縁６７ａがリセットピン３２から離れた非リセット位置Ｋ１を採る。なお、リセットレバー６０が非リセット位置Ｈ１を採る場合、三番車支持軸受部６６ａが係合位置Ｌ１を採り、三番車１５ｄが二番車１５ｅと噛合して四番車１５ｃの回転を二番車１５ｅに伝達する。
【００５０】
一方、図６に示したように、巻真２０がＡ１方向に引出されて巻真１段目位置Ｐ１を採ると、巻真２０の先端面２９がＡ１方向に移動して、リセットレバー６０のＬ字状腕部６２の位置検出腕部６２ａの側縁６２ｂから離れる。入力側レバー部６８に対するＪ１方向の回動変位力の解除に伴い、入力側レバー部６８は、板バネ構造体５０のリセットレバー偏倚バネ部５６が突起部６３に及ぼすＧ２方向の弾性復元力により、中心軸線Ｃ１のまわりで、Ｊ２方向に回動される。従って、出力側レバー部６９もＪ２方向に回動変位されて、リセット端子部６７が先端の側縁部６７ａでリセットピン３２に押付けられる。即ち、巻真２０がＡ１方向に引出されて巻真１段目位置Ｐ１を採ると、リセットレバー６０がリセット位置Ｈ２を採り、リセット端子部６７がリセットピン３２に当接するリセット位置Ｋ２に設定される。その結果、回路ブロック６からモータ４への駆動用信号の供給が停止され、モータ４の回転が停止され、秒針１３ｃの回転が停止される。なお、リセットレバー６０がリセット位置Ｋ２を採ると、三番車支持軸受部６６ａは、非係合位置Ｌ２を採り、三番車１５ｄと二番車１５ｅとの噛合が解除され、二番車（分車）１５ｅの回転が四番車（秒車）１５ｃに伝達されなくなる。リセットレバー６０による三番車の軸の支持の仕方自体の詳細については、例えば、特許文献１や２に開示されている。なお、三番車支持軸受部６６ａによる変位により、三番車１５ｄと二番車１５ｅとの噛合が解除されるようにする代わりに、三番車１５ｄと四番車１５ｃとの噛合が解除されるようになっていてもよい。
【００５１】
三番車１５ｄと二番車１５ｅとの噛合が解除されると、針回しのための巻真２０の回転が、つづみ車２８から日の裏車１７を介して筒車（時車）１６ａ及び二番車（分車）１５ｅに伝達されても、四番車（秒車）１５ｃには回転が伝達されないので、秒針１３ｃを止めた状態で分針１３ｂ及び時針１３ａの針合せが行われ得る。
【００５２】
以上の如く構成されたリセットレバー装置８では、リセットレバー６０とバネ部５６を含むバネ構造体５０とを別体で形成したので、リセットレバー６０自体を実質的に剛性構造体として形成し得、形状が単純化されるだけでなく、製造コストも最低限に抑え得る。また、リセットレバー偏倚バネ部５６がリセットレバーとは別体で形成されて一端側で輪列受１４に支持され、他端側がリセットレバーの回動面ＸＹに対して直交する方向に延びてリセットレバーのバネ受部６３に係合されてリセットレバー本体６０ａに対して非リセット位置Ｈ１からリセット位置Ｈ２へのＧ２方向の偏倚力を及ぼすので、バネ部５６の形状が単純化され得、動作が安定され易く、その組付けも容易に行われ易い。
【００５３】
この実施例のリセットレバー装置８では、リセットレバー６０が、時計本体の機枠たる地板１０等に対して回転自在に支持される軸受部ないし軸部６０ｂと、巻真２０の先端部２９の押圧力を受ける巻真当接部６２ａと、リセット位置Ｈ２に回動された際にリセットピン３２等に当接されるリセット端子部６７と、バネ部材５６に係合されるバネ受部６３とを有し、これらの部分が、一体的な剛性構造体として形成され、このリセットレバーは、本質的にはバネ機能を備える必要が実際上ないので、材料及びサイズの自由度が大幅に高められ、板金の単純な打抜き体で形成することが実際上可能になる。なお、リセットレバー本体６０ａの形状は、巻真２０の先端部、リセットピン３２、三番車軸受部６６ａ及びリセットレバー偏倚バネ部５６の位置に応じて、適宜変更され得る。
【図面の簡単な説明】
【００５４】
【図１】本発明の好ましい一実施例のリセットレバー装置を備えた本発明の好ましい一実施例の電子時計の本体部の平面説明図（輪列受を取除いた状態）。
【図２】図１のＩＩ−ＩＩ線断面説明図。
【図３】図１のＩＩＩ−ＩＩＩ線断面説明図。
【図４】図１の板バネ構造体の斜視説明図。
【図５】図１の電子時計が非リセット状態にある際の平面説明図。
【図６】図１の電子時計がリセット状態にある際の平面説明図。
【符号の説明】
【００５５】
１  電子時計
２  時計本体
３  輪列機構
４  モータ    ４ａ  ステータ    ４ｂ  コイルブロック    ４ｃ  ロータ
５  ボタン型電池    ５ａ  負極    ５ｂ  正極
７  電池マイナス端子
８  リセットレバー装置
１０  地板    １０ａ  地板表面
１１  側壁    １１ａ  巻真案内孔    １１ｂ  電池収容凹部    １１ｆ  水晶発振器筐体受突起部    １１ｇ  フレキシブル回路基板載置突起部    １１ｈ  つづみ車受容凹部
１３  時刻表示針    １３ａ  時針    １３ｂ  分針    １３ｃ  秒針
１４  輪列受
１５  表側輪列    １５ａ  六番車    １５ｂ  五番車    １５ｃ  四番車    １５ｄ  三番車    １５ｅ  二番車    １５ｆ  八番歯車（日の裏歯車）
１６  裏側輪列    １６ａ  筒車（時車）    １６ｂ  八番かな（日の裏かな）
１７  八番車（日の裏車）
１８  係合部    １８ａ  突起部    １８ｂ  溝    １８ｃ  開口部
２０  巻真
２１  大径軸部
２２  角柱状係合軸部
２３  中径軸部
２４  小径軸部
２５，２６  小径軸部
２７  ソロバン玉状部
２８  つづみ車
２９  先端面
３０  水晶発振器    ３０ａ，３０ｂ  接続端子部
３１  筐体（水晶缶）    ３１ａ  基端側部分    ３１ｂ  先端部    ３１ｃ  側縁
３２  リセットピン
３３  時計用ＩＣ（集積回路）
３４  フレキシブル回路基板
３５ａ  リセットピン接続用導電パッド部    ３５，３５ｃ，３５ｄ  導電パターン
３５ｅ  接続端子片部
３６ａ，３６ｂ  連結部
５０  板バネ構造体
５１  板バネ本体部
５２  中央部    ５２ａ  中心領域    ５２ｂ  突出部    ５２ｄ  側縁
５３  電池プラス電極接点端子部    ５３ａ  傾斜端部    ５３ｂ  接点部
５４  水晶缶接点端子部    ５４ａ  腕部    ５４ｂ  接点部
５６  リセットレバー偏倚バネ部
５７  巻真係合バネ部    ５７ａ  基部側腕部    ５７ｂ  先端側腕部    ５７ｃ  円弧状係合部
６０  リセットレバー    ６０ａ  板状部    ６０ｂ  軸部
６１  中心ボス部（肥大部）
６２  Ｌ字状腕部    ６２ａ  位置検出腕部    ６２ｂ  側縁
６３  係合突起部
６４  上下方向腕部
６５  横方向腕部
６６  ボス部（肥大部）    ６６ａ  三番車軸受部
６７  リセット端子部
６８  入力側腕部
６９  出力側腕部
Ａ１，Ａ２  巻真出入方向
Ｂ  巻真回転方向
Ｃ，Ｃ１  回転中心軸線
Ｄ，Ｅ  板バネ構造体の両端のバネ部の力の方向
Ｆ１，Ｆ２  巻真係合バネ部の力又は変位の方向
Ｇ１，Ｇ２  リセットレバー偏倚バネ部の力又は変位の方向
Ｈ１，Ｈ２  リセットレバーの非リセット位置及びリセット位置
Ｊ１，Ｊ２  リセットレバーの回動方向
Ｋ１，Ｋ２  リセットレバーのリセット端子の非リセット位置及びリセット位置
Ｌ１，Ｌ２  リセットレバーの三番車軸受部の非リセット位置及びリセット位置
Ｐ０  巻真０段目
Ｐ１  巻真１段目
Ｘ，Ｙ，Ｚ  方向
【図１】
2006184238.tif 000003
【図２】
2006184238.tif 000004
【図３】
2006184238.tif 000005
【図４】
2006184238.tif 000006
【図５】
2006184238.tif 000007
【図６】
2006184238.tif 000008